(57)【要約】      （修正有）【課題】寒暖に応じて左右のかけ毛布を二重や一重にして暑さを調節することができ、暑いときは左右のかけ毛布をかぶせないで敷きマットだけの利用もできる。また、左右のかけ毛布が一体化されている為、分離・散乱することがなく管理がしやすく、二重の毛布が掛けられるので、一枚の毛布より温まることができ、体を自由に動かすことができる。【解決手段】敷毛布にあたる敷きマット１の左右に、かけ毛布４、５を縫い付けて、敷きマット部分と左右二枚の毛布を寒暖に応じて利用する。敷きマット１の上部を袋状にして枕を使用することで、ずれることがない。足部も袋状にし、寒暖に応じて足包３の中に足を入れたり出したりする。また、上部と下部が袋状になっている為、貴重品や身の回り品を収納できる。座位については枕包部２を頭巾状にかぶり頭で支えられる為、手を離してもずれ落ちることがなく背中から体を包むこともできる。【選択図】図２
2015112201.tif 000002
【特許請求の範囲】
【請求項１】
敷きマットと枕包と足包と右かけ毛布と左かけ毛布とから構成され、この五つの部品を縫合して作成する。長方形である敷きマットの短辺の一辺に枕包を袋状に縫合し、その他の一辺に足包を袋状に縫合する。次に敷きマットの長辺にあたる一辺に右かけ毛布の長辺を縫合し、他の一辺に左かけ毛布の長辺にあたる一辺を縫合して作成する毛布付マット。
【発明の詳細な説明】
【技術分野】
【０００１】
本発明は、毛布を裁断して縫い合わせることにより、敷き毛布と左右に掛け毛布を縫い合わせて一体化にした避難時用の寝具である。
【背景技術】
【０００２】
従来避難時の寝具として、避難場所で毛布が１枚もしくは敷きマット用として毛布が２枚与えられている。
【発明の概要】
【発明が解決しようとする課題】
【０００３】
毛布一枚では敷きマットにあたる部分がないので暖を取りにくく、毛布にくるまった状態では体が固定され、寝返りが自由に行えなく身体を圧迫して血行を悪くしてしまうという問題点があった。
【０００４】
座った状態では、毛布を両手で体を包むようにする為、両手を自由に動かすことができなくて、食事をとる際など毛布がずれ落ちてしまうという不便性があった。
【０００５】
避難時に身の回り品や貴重品を保管する場所がない場合、就寝時には枕元など身近に露出した状態で放置しておく為、盗難や紛失の危険性があった。
【課題を解決するための手段】
【０００６】
敷き毛布とかけ毛布が一体化していると保管及び配布が行いやすく、しかも暖が取りやすくなり、眠った状態では体を自由に動かせるようになる。
【０００７】
頭部が袋状になっていると、頭部に枕がずれないように固定することができる。
【０００８】
足元を袋状になっていると、寒いときは足を足元の袋状になっているところに入れて足を暖かくすることができ、暑いときは足を袋状から出したりすることができる。
【発明の効果】
【０００９】
寒暖に応じて左右のかけ毛布を二重や一重にして暑さを調節することができ、暑いときは左右のかけ毛布をかぶせないで敷きマットだけの利用もできる。
【００１０】
左右のかけ毛布が一体化されている為、分離・散乱することがなく管理がしやすく、また、二重の毛布が掛けられるので、体身にくるめなくても一枚の毛布より温まることができるため、体を自由に動かすことができるので、血行を悪くすることなくなる。
【００１１】
頭部が袋状になっている為、頭部に枕を入れた場合は枕がずれにくく、貴重品や身の回り品を収納できる。
【００１２】
避難所に枕が無い場合には、頭部に枕の代わりに身の回りの衣服などを丸めて枕代わりにすることができる。
【００１３】
足部が袋状になっている為、寒暖に応じて足を袋の中に入れたり外に出したりして、足の暑さを調節することができ、貴重品や身の回り品を収納することができる。
【００１４】
座って暖を取る場合、頭部の枕包を頭巾のようにかぶり、両手のわきの下から左右のかけ毛布で体を包むように羽織ると、両手を自由に動かすことができ、ずれ落ちることがなくなり、暖を取りながら食事をすることができる。
【００１５】
本発明の毛布付マットは、収納する場合枕包部分から背面に巻き取り、足包部が袋状になっているところで包込む形で丸めて収納できる。
【図面の簡単な説明】
【００１６】
【図１】本願発明の一実施例に係る毛布付マットの分離図
【図２】毛布付マットの開放図
【図３】毛布付マットのセット図
【図４】毛布付マットの巻き収納図
【発明を実施するための形態】
【００１７】
図１は敷きマット１と枕包２と足包３と右かけ毛布４と左かけ毛布５とからなる五つの部品で構成された毛布付マットの分離である。
【００１８】
図１の敷きマット１における短辺の１辺をa1とし、他の短辺の一辺をb1とする。
【００１９】
図１の敷きマット１の辺a1側の破線部分をa4とし、二重線部分をV1とする。
【００２０】
図１の敷きマット１におけるa4の一端からa1一端までの辺をa2とし、a4の他の一端からa1の他の一端までの辺をa3する。
【００２１】
図１の敷きマット１におけるa1とa2とa3とa4とから囲まれる網掛け部分の面をW1とする。
【００２２】
図１の敷きマット１の辺b1側の破線部分をb4とする。
【００２３】
図１の敷きマット１におけるb4の一端からb1一端までの辺をb2とし、b4の他の一端からb1の他の一端までの辺をb3する。
【００２４】
図１の敷きマット１におけるb1とb2とb3とb4とから囲まれる網掛け部分の面をW2とする。
【００２５】
図１の敷きマット１における長辺の１辺をc1とし、他の長辺の一辺をc2とする。
【００２６】
図１の敷きマット１におけるV1の一端からb1の一端までの辺をc1とし、V1の他の一端からb1の他の一端までの辺をc2とする。
【００２７】
図１の枕包２における長辺の１辺をd1とし、他の長辺の一辺をd4とする。
【００２８】
図１の枕包２における短辺の１辺をd2とし、他の短辺の一辺をd3とする。
【００２９】
図１の足包３における長辺の１辺をe1とし、他の長辺の一辺をe4とする。
【００３０】
図１の足包３における短辺の１辺をe2とし、他の短辺の一辺をe3とする。
【００３１】
図１の右かけ毛布４における長辺の１辺をf1とし、他の長辺の一辺をf2とする。
【００３２】
図１の右かけ毛布４における短辺の１辺をf3とし、他の短辺の一辺をf4とする。
【００３３】
図１の左かけ毛布５における長辺の１辺をg1とし、他の長辺の一辺をg2とする。
【００３４】
図１の左かけ毛布５における短辺の１辺をg3とし、他の短辺の一辺をg4とする。
【００３５】
図２における敷きマット１の網掛け部分のW1と枕包２の縫合は、図１における敷きマット１のa1と枕包２のd1、敷きマット１のa2と枕包２のd2、敷きマット１のa3と枕包２のd3をそれぞれ縫合し、敷きマット１のa4と枕包２のd4が重なりをy1とし、y1の網掛け部分が袋状になる。
【００３６】
図２における敷きマット１の網掛け部分のW2と足包３の縫合は、図１における敷きマット１のb1と足包３のe1、敷きマット１のb2と足包３のe2、敷きマット１のb3と足包３のe3をそれぞれ縫合し、敷きマット１のb4と足包３のe4が重なりをW2とし、W2の網掛け部分が袋状になる。
【００３７】
図２の敷きマット１と右かけ毛布４の縫合は、敷きマット１のc1と右かけ毛布４のf1とを縫合し、縫合された辺をc1f1とする。
【００３８】
図２の敷きマット１と左かけ毛布５の縫合は、敷きマット１のc2と左かけ毛布４のg2とを縫合し、縫合された辺をc2g2とする。
【００３９】
図２の敷きマット１のa1と枕包２のd1とを縫合した辺をa1d1とし、敷きマット１のa4と枕包２のd4とが重なり合った辺をa4d4とする。
【００４０】
図２の敷きマット１のb1と足包３のe1とを縫合した辺をb1e1とし、敷きマット１のb4と足包３のe4とが重なり合った辺をb4e4とする。
【００４１】
図３は図２の毛布付マットの開放図の状態から、図２の右かけ毛布４のf2をc2g2方向にc1f1部分から敷きマット１に重ね合わせ、図２の左かけ毛布５のg1をc1f1方向にc2g2部分から敷きマット１に重ね合わせた毛布付マットのセット図である。
【００４２】
図４は図３の毛布付マットのセット図の状態からa1d1の辺を後ろ側に巻き取り、y2部分の袋状になっている部分の足包３をひっくり返して収納した毛布付マットの巻収納図であり、円筒形になる。
【００４３】
本発明の毛布付マットの開放図２の状態から就寝する場合、左右かけ毛布開放図のようにし、枕包２に枕（衣服を丸めて枕代わりにしたもの）を装着し、敷きマットを背にして枕包部に頭を置き、足包３に足を入れて右かけ毛布３と左かけ毛布４を図３の通り被せて利用する。
【００４４】
本発明品である毛布付マットの素材は、一般的に利用されているウールやアクリルそして綿を使用し、本発明品である毛布付マットを作成することができるが、既に避難所・市町村に備蓄されている毛布を裁断及び縫い合わせることにより作成することも可能である。
【産業上の利用可能性】
【００４５】
日常でも自宅でこの発明品である毛布つきマットを使用できるが、特に避難時の緊急寝具として体育館や公共施設の集団避難時に利用できる。
【符号の説明】
【００４６】
１  敷きマット
２  枕包
３  足包
４  右かけ毛布  
５  左かけ毛布
a1,a2,a3,b1b2,b3c1,c2を敷きマット1の辺とする。
d1,d2,d3,d4を枕包２の辺とする。
e1,e2,e3,e4を足包５の辺とする。
f1,f2,f3,f4を右かけ毛布４の辺とする。
g1,g2,g3,g4を左かけ毛布の辺とする。
V3二重線とし、W1とW2をそれぞれ面とする。
a1d1,b1e1,c1f1,c2g2を辺とし、a4d4,b4e4を線とする。
y1,y2を面とする。
【図１】
2015112201.tif 000003
【図２】
2015112201.tif 000004
【図３】
2015112201.tif 000005
【図４】
2015112201.tif 000006